(57)【特許請求の範囲】
【請求項１】
電柱間に架設されるとともに、一部に障害物が設けられた架空線を張り替える際に、前記架空線の張り替えに先行して、前記電柱間に架け渡される呼び線の牽引装置であって、
内面側に前記架空線を挿通させた状態で、前記架空線に沿って移動可能であるとともに、内面が前記障害物を乗り越え可能な形状に形成され、かつ、一部に前記呼び線の一端を接続させる接続部が設けられる本体と、該本体に設けられるとともに、該本体を前記架空線に沿って移動させる駆動源とを備え、
前記本体は、略半円筒状に形成される半筒部と、該半筒部の一端側に一体に設けられるとともに、先端に行くに従って順次大径となる略半円錐形状の半円錐部とからなることを特徴とする呼び線の牽引装置。
【請求項２】
前記半筒部の開口側には、駆動源支持部が設けられ、該駆動源支持部に前記駆動源が設けられ、前記駆動源支持部と前記駆動源とにより、前記本体の半筒部及び半円錐部の前記架空線上における姿勢が安定した状態に保たれることを特徴とする請求項１に記載の呼び線の牽引装置。
【請求項３】
前記駆動源は、回転可能に設けられるプロペラと、該プロペラを回転させるモータと、該モータの電源とからなることを特徴とする請求項２に記載の呼び線の牽引装置。
【請求項４】
電柱間に架設されるとともに、一部に障害物が設けられた架空線を張り替える際に、前記架空線の張り替えに先行して、前記電柱間に架け渡される呼び線の架け渡し方法であって、
内面側に前記架空線を挿通させた状態で、前記架空線に沿って移動可能であるとともに、内面が前記障害物を乗り越え可能な形状に形成され、かつ、一部に前記呼び線の一端を接続させる接続部が設けられる本体と、該本体に設けられるとともに、該本体を前記架空線に沿って移動させる駆動源とを備え、前記本体は、略半円筒状に形成される半筒部と、該半筒部の一端側に一体に設けられるとともに、先端に行くに従って順次大径となる略半円錐形状の半円錐部とからなる呼び線の牽引装置を用い、
該牽引装置の前記本体の接続部に呼び線の一端を接続し、前記駆動源により前記本体を前記架空線に沿って移動させて、前記架空線の障害物を乗り越えさせることにより、前記呼び線を電柱間に架け渡すことを特徴とする呼び線の架け渡し方法。
【発明の詳細な説明】
【技術分野】
【０００１】
本発明は、呼び線の牽引装置及び呼び線の架け渡し方法に関し、特に、電柱間に架設された架空線の張り替えに先行して、電柱間に呼び線を架け渡すのに有効な呼び線の牽引装置及び呼び線の架け渡し方法に関する。
【背景技術】
【０００２】
従来、建造物等の上空を通過した状態で、隣接する２本の電柱間に架け渡されている架空線（例えば、電線、支線等）を張り替える工法として、一方の電柱側で張り替え対象の旧線の一端に新線を接続し、他方の電柱側から旧線の他端を引っ張りながら、一方の電柱側から他方の電柱側に向けて新線を繰り出すことにより、隣接する電柱間に新線を架け渡すことが行われている。
【０００３】
この場合、新線を繰り出す一方の電柱側において、例えば、新線が巻き付けられているドラムのブレーキを操作する等の方法によって旧線及び新線の張力を調整し、旧線及び新線の弛みが過大になって建造物等に接触するのを防止している。
【０００４】
また、特許文献１には、弛度制御装置を用いて架空線（地線）を張り替える工法が開示されている。
この工法では、隣接する２本の電柱の各々に近接するように２台の高所作業車を配置し、各高所作業車のバケット内に弛度制御装置をそれぞれ設置し、各高所作業車のバケットを各電柱の腕金の上方に位置決めする。
【０００５】
そして、２本の電柱間に架設されている旧地線の両端に巻き付けグリップをそれぞれ取り付け、各巻き付けグリップに各バケットの弛度制御装置のドラムに巻き付けたロープのフックをそれぞれ引っ掛け、この状態で旧地線の両端を切断して両電柱間から切り離し、旧地線の両端を両バケットの両弛度制御装置のドラム間で支持する。
【０００６】
次に、両弛度制御装置のドラムを回転させて、旧地線の張力、弛度を調整しながら、両高所作業車を操作して、両バケットを所望の方向に移動させることにより、高圧架空配電線との接触を避けながら、旧地線を地上に下ろす。
【０００７】
地上においては、旧地線の両端から巻き付けグリップを外し、この巻き付けグリップを新地線の両端に取り付け、両巻き付けグリップに両バケットの弛度制御装置のドラムに巻き付けたロープのフックをそれぞれ引っ掛ける。
【０００８】
この状態で、両弛度制御装置のドラムを回転させて、新地線の張力、弛度を調整しながら、旧地線を取り外した場合と逆の手順を辿って、新地線を２本の電柱間に架設する。
【０００９】
さらに、架空線を張り替える工法として、張り替え対象の架空線（旧線）に自走機をセットし、この自走機に新線を接続し、この状態で自走機を旧線に沿って走行させることにより、新線を電柱間に架設する工法も知られている。
【先行技術文献】
【特許文献】
【００１０】
【特許文献１】特開平５−４９１２８号公報
【発明の概要】
【発明が解決しようとする課題】
【００１１】
しかし、上記の何れの工法にあっても、張り替え対象の架空線（旧線）に錆びが生じている場合には、旧線に張力を付加したり、旧線に荷重を付加することにより、旧線が断線するおそれがあり、断線した旧線によって作業者を傷付けたり、建造物等を損傷させたりするおそれがある。
【００１２】
また、旧線に沿って自走機を走行させる工法は、張り替え対象の架空線の一部に碍子等の障害物がある場合には、自走機が障害物を乗り越えることができないために適用することができない。
【００１３】
本発明は、上記のような従来の問題に鑑みなされたものであって、張り替え対象の架空線（旧線）に錆びが発生している場合であっても、旧線が断線して作業者を傷付けたり、建造物等を損傷させたりするおそれがなく、また、張り替え対象の架空線（旧線）に碍子等の障害物があっても、張り替えが可能な呼び線の牽引装置及び呼び線の架け渡し方法を提供することを目的とする。
【課題を解決するための手段】
【００１４】
上記のような課題を解決するために、本発明は、以下のような手段を採用している。
すなわち、本発明は、電柱間に架設されるとともに、一部に障害物が設けられた架空線を張り替える際に、前記架空線の張り替えに先行して、前記電柱間に架け渡される呼び線の牽引装置であって、内面側に前記架空線を挿通させた状態で、前記架空線に沿って移動可能であるとともに、内面が前記障害物を乗り越え可能な形状に形成され、かつ、一部に前記呼び線の一端を接続させる接続部が設けられる本体と、該本体に設けられるとともに、該本体を前記架空線に沿って移動させる駆動源とを備え、前記本体は、略半円筒状に形成される半筒部と、該半筒部の一端側に一体に設けられるとともに、先端に行くに従って順次大径となる略半円錐形状の半円錐部とからなることを特徴とする。
【００１５】
本発明の呼び線の牽引装置によれば、駆動源により、本体を対象の架空線に沿って移動させることにより、本体に接続した呼び線を電柱間に架け渡すことができる。この場合、本体は、内面が架空線の障害物を乗り越えることが可能な形状に形成されているので、具体的には、本体は、略半円筒状に形成される半筒部と、該半筒部の一端側に一体に設けられるとともに、先端に行くに従って順次大径となる略半円錐形状の半円錐部とから構成されているので、本体の半筒部及び半円錐部の内側に対象の架空線を挿通させた状態で、本体を対象の架空線に沿って移動させることにより、半円錐部が対象の架空線の障害物を先に乗り越え、半円錐部に連続する半筒部が続いて障害物を乗り越えることにより、本体の全体が障害物を乗り越えることができる。従って、本体の移動が障害物で阻害されるようなことはなく、呼び線を電柱間に架け渡すことができる。
【００１８】
さらに、本発明において、前記半筒部の開口側には、駆動源支持部が設けられ、該駆動源支持部に前記駆動源が設けられ、前記駆動源支持部と前記駆動源とにより、前記本体の半筒部及び半円錐部の前記架空線上における姿勢が安定した状態に保たれることとしてもよい。
【００１９】
本発明の呼び線の牽引装置によれば、駆動源支持部と、駆動源支持部に設けられる駆動源とにより、本体の半筒部及び半円錐部の架空線上における姿勢が安定した状態に保たれることになる。
【００２０】
さらに、本発明において、前記駆動源は、回転可能に設けられるプロペラと、該プロペラを回転させるモータと、該モータの電源とからなることとしてもよい。
【００２１】
本発明の呼び線の牽引装置によれば、モータを作動させてプロペラを回転させることにより、プロペラの推進力によって本体が対象の架空線に沿って移動することになる。
【００２２】
さらに、本発明は、電柱間に架設されるとともに、一部に障害物が設けられた架空線を張り替える際に、前記架空線の張り替えに先行して、前記電柱間に架け渡される呼び線の架け渡し方法であって、内面側に前記架空線を挿通させた状態で、前記架空線に沿って移動可能であるとともに、内面が前記障害物を乗り越え可能な形状に形成され、かつ、一部に前記呼び線の一端を接続させる接続部が設けられる本体と、該本体に設けられるとともに、該本体を前記架空線に沿って移動させる駆動源とを備え、前記本体は、略半円筒状に形成される半筒部と、該半筒部の一端側に一体に設けられるとともに、先端に行くに従って順次大径となる略半円錐形状の半円錐部とからなる呼び線の牽引装置を用い、該牽引装置の前記本体の接続部に呼び線の一端を接続し、前記駆動源により前記本体を前記架空線に沿って移動させて、前記架空線の障害物を乗り越えさせることにより、前記呼び線を電柱間に架け渡すことを特徴とする。
【発明の効果】
【００２３】
以上、説明したように、本発明の呼び線の牽引装置及び呼び線の架け渡し方法によれば、駆動源により、本体を対象の架空線に沿って移動させることにより、本体に接続した呼び線を電柱間に架け渡すことができる。この場合、本体は、内面が架空線の障害物を乗り越えることが可能な形状に形成されているので、具体的には、本体は、略半円筒状に形成される半筒部と、該半筒部の一端側に一体に設けられるとともに、先端に行くに従って順次大径となる略半円錐形状の半円錐部とから構成されているので、本体の半筒部及び半円錐部の内側に対象の架空線を挿通させた状態で、本体を対象の架空線に沿って移動させることにより、半円錐部が対象の架空線の障害物を先に乗り越え、半円錐部に連続する半筒部が続いて障害物を乗り越えることにより、本体の全体が障害物を乗り越えることができ、本体の移動が障害物で阻害されるようなことはなく、呼び線を電柱間に架け渡すことができる。
従って、対象の架空線を張り替える場合に、例えば、呼び線を電柱間に架け渡した後に、呼び線を利用して、リング工法によって電柱間に本線を架け渡し、本線を利用して電柱間から対象の架空線（旧線）を取り外し、電柱間に新線を架け渡すことができる。
この結果、対象の架空線に錆が発生していても、対象の架空線が断線するようなことはなく、断線した線によって作業者を傷付けたり、建造物等を損傷させたりするようなことはなく、架空線の張り替え作業を安全に行うことができる。
【図面の簡単な説明】
【００２４】
【図１】本発明による牽引装置の一実施の形態を示した概略図である。
【図２】図１の左側面図である。
【図３】牽引装置が支線に沿って移動している状態を示した説明図であって、玉碍子が設けられていない支線の部分を移動している状態を示した説明図である。
【図４】牽引装置が玉碍子が設けられている支線の部分を移動している状態を示した説明図である。
【図５】牽引装置が玉碍子が設けられている支線の部分を移動している状態を示した説明図である。
【図６】牽引装置が玉碍子が設けられている支線の部分を移動している状態を示した説明図である。
【図７】牽引装置により呼び線を電柱間に架け渡している状態を示した説明図である。
【図８】電柱間への呼び線の架け渡しが完了した状態を示した説明図である。
【図９】電柱間に本線を架け渡している状態を示した説明図である。
【図１０】電柱間への本線の架け渡しが完了した状態を示した説明図である。
【図１１】電柱間から旧支線を取り外し、旧支線の代わりに新支線を架け渡している状態を示した説明図である。
【図１２】電柱間へ新支線の架け渡しが完了した状態を示した説明図である。
【図１３】電柱間から本線を取り外している状態を示した説明図である。
【図１４】電柱間から本線の取り外しが完了した状態を示した説明図である。
【図１５】リングの概略図である。
【発明を実施するための形態】
【００２５】
以下、図面を参照しながら本発明の実施の形態について説明する。
図１〜図６には、本発明による呼び線の牽引装置の一実施の形態が示されている。本実施の形態の呼び線の牽引装置１は、電柱２０、２１間に架設された架空線２２（例えば、電線、支線等）の張り替えに適用可能なものであって、特に、架空線２２の一部に障害物２３（例えば、碍子、接続スリーブ等）が設けられている場合に有効なものである。
なお、本実施の形態においては、電柱２０、２１間に架設されている、一部に障害物としての絶縁用の玉碍子２３が設けられた支線２２を対象としている。
【００２６】
本実施の形態の呼び線の牽引装置（以下、牽引装置１という。）は、図１及び図２に示すように、内面側に支線２２を挿通させた状態で、支線２２に沿って移動可能な本体２と、本体２に一体に設けられる駆動源支持部６と、駆動源支持部６に設けられるとともに、本体２を支線２２に沿って移動させる駆動源１６とを備えている。
【００２７】
本体２は、略半円筒状の半筒部３と、半筒部３の一端に一体に設けられるとともに、先端に行くに従って順次大径となる略半円錐状の半円錐部４とから構成され、本体２の半筒部３及び半円錐部４の内面側を支線２２が挿通可能に構成されている。
【００２８】
本体２は、例えば、塩化ビニル管等の絶縁性を有する材料から形成されるものであって、本実施の形態においては、塩化ビニル管を切断して、半円筒状に形成したものと半円錐状に形成したものとを、接着剤等によって一体に接合することにより、半筒部３と半円錐部４とを一体に形成している。
【００２９】
本体２の半筒部３の内径、及び半円錐部４の最小内径は、支線２２の一部に設けられる玉碍子２３の外形よりも大きく形成されている。また、半円錐部４の最大内径は、本体２の内面側に支線２２を挿通させて、半筒状３の内面側に支線２２を接触させた状態で、玉碍子２３の外形よりも僅かに大きくなるように、設定されている。
【００３０】
本体２の半筒部３及び半円錐部４の内面には、低摩擦部材５が貼り付けられ、この低摩擦部材５により、本体２の半筒部３及び半円錐部４と支線２２との間の摩擦抵抗が低減され、本体２を支線２２に沿って円滑に移動させることができる。
【００３１】
低摩擦部材５は、シート状又はテープ状をなすものであって、本体２の半円筒部３及び半円錐部４の内面の全体、又は一部（少なくとも支線２２との接触部）に貼り付けられている。低摩擦部材５としては、例えば、フッ素樹脂、ナイロン、ニトリルゴム、シリコーンゴム等からなるシート又はテープが挙げられる。
【００３２】
駆動源支持部６は、本体２の半筒部３の長手方向の両端の開口側に、それぞれ一体に設けられる一対の脚部７、７と、両脚部７、７の下面中央部に一体に設けられる取付部１１とから構成され、取付部１１に駆動源１６が取り付けられている。
【００３３】
各脚部７は、略コ形状をなすものであって、本体２の半筒部３の開口側の両縁部に一体に設けられる一対の帯板状の縦脚８、８と、両縦脚８、８の下端間に水平に架け渡される帯板状の横脚９とから構成されている。
【００３４】
各脚部７の横脚９の両端は、両縦脚８、８間にねじ１０を介して切り離し可能に連結され、横脚９を両縦脚８、８から切り離すことにより、本体２の半筒部３及び半円錐部４の内面側に支線２２を挿通させることができる。
【００３５】
取付部１１は、２本の横枠１２、１２と、２本の縦枠１３、１３とを四方枠組みして一体に形成したものであって、上側の横枠１２が両脚部７、７の両横脚９、９の下面中央部に一体に連結されている。下側の横枠１２には、前側の縦枠１３よりも水平方向前方に突出する突出部１４が一体に設けられている。後側の縦枠１３には、呼び線の一端を接続するための接続部１５が設けられている。
【００３６】
接続部１５は、例えば、フック、縦枠１３に設けた孔等であって、この接続部１５に呼び線２５の一端が結び付けられる。接続部１５は、上記の構成のものに限らず、呼び線２５の一端を接続できる機能を有するものであればよい。呼び線２５は、例えば、合成樹脂製のロープであって、本実施の形態では、呼び線２５にエスロンロープを用いている。
【００３７】
駆動源支持部６と駆動源支持部６に設けられる駆動源１６との重量により、本体２の半筒部３及び半円錐部４の支線２２上での姿勢が安定した状態に保たれ、本体２の半筒部３及び半円錐部４の開口を下方に向けた状態で、本体２を支線２２に沿って移動させることができる。
【００３８】
駆動源１６は、取付部１１の突出部１４に取り付けられるモータ１７と、モータ１７の回転軸に取り付けられるプロペラ１８と、取付部１１の下側の横枠１２に取り付けられるモータ１７の電源１９とを備え、プロペラ１８を回転させるモータ１７は、無線による遠隔操作によってＯＮ−ＯＦＦが制御されている。
【００３９】
そして、上記のように構成した本実施の形態の牽引装置１を用いて呼び線２５を電柱２０、２１間に架け渡すには、まず、図３及び図７に示すように、取付部１１の接続部１５に呼び線２５の一端を接続し、一方の電柱２０側において、本体２の半筒部３及び半円錐部４の内面側に２本の電柱２０、２１間に架設されている支線２２を挿通させる。この場合、駆動源支持部６と駆動源支持部６に設けられる駆動源１６の重量とにより、本体２の半筒部３及び半円錐部４は開口側を下方に向けた姿勢に保たれる。
【００４０】
そして、遠隔操作によって駆動源１６のモータ１７を作動させて、プロペラ１８を回転させることにより、プロペラ１８の推進力によって牽引装置１全体を支線２２に沿って移動させ、牽引装置１を他方の電柱２１側に到達させる。
【００４１】
この場合、牽引装置１は、支線２２の玉碍子２３が設けられていない部分においては、図３に示すように、本体２の半筒部３の内面側に支線２２が接触した状態で、支線２２上を他方の電柱２１の方向に移動する。
【００４２】
そして、本体２が玉碍子２３が設けられている部分に達すると、図４に示すように、半円錐部４の先端側の内面に玉碍子２３の上面側が接触し、本体２の進行に伴って玉碍子２３の上面側が半円錐部４の内面側を半筒部３の方向に相対的に移動することにより、図５に示すように、本体２の先端がやや上方を向いた状態となり、この状態で本体２が更に進行することにより、図６に示すように、本体２の進行に伴って玉碍子２３の上面側が半筒部３の内面側を半筒部３の後端の方向に相対的に移動する。そして、本体２の全体が玉碍子２３を乗り越えた後に、図３に示す姿勢に戻り、この状態で他方の電柱２１側に到着する。
【００４３】
そして、この牽引装置１の本体２に追従して呼び線２５の一端が他方の電柱２１側に到達し、他方の電柱２１側において、作業者が呼び線２５の一端を接続部１５から取り外すことにより、図８に示すように、呼び線２５を２本の電柱２０、２１間に架け渡すことができる。
【００４４】
そして、２本の電柱２０、２１間に呼び線２５を架け渡した後に、図９に示すように、一方の電柱２０側において、呼び線２５の他端に、複数のリング２７を取り付けた本線２６の一端を接続し、他方の電柱２１側で、作業者が呼び線２５の一端を引っ張り、一方の電柱２０側で、別の作業者が各リング２７の内側に後述する切り離し部を介して張り替え対象の支線（旧支線２２）を通しながら本線２６を繰り出すことにより、呼び線２５を２本の電柱２０、２１間から取り外し、図１０に示すように、呼び線２５の代わりに本線２６を２本の電柱２０、２１間に架け渡し、本線２６の複数のリング２７によって旧支線２２を支持する。
【００４５】
ここで、各リング２７は、図１５に示すように、一部が切り離されたリング状の本体２８と、本体の一部に一体に設けられる吊環２９とから構成され、吊環２９の内側に本線２６を通すことにより本線２６に取り付けられ、また、本体２８の切り離し部を介して本体２８の内側に旧支線２２を通すことにより、各リング２７の本体２８の内側に旧支線２２を挿通させることができる。また、本線２６は、例えば、合成樹脂製のロープであって、旧支線２２及び後述する新支線２４を支持可能な強度を有するものが用いられる。
【００４６】
そして、上記のように、２本の電柱２０、２１間に架け渡した本線２６に複数のリング２７を介して旧支線２２を支持した状態で、図１１に示すように、一方の電柱２０側において、作業者が旧支線２２の一端に新しい支線（新支線２４）の一端を接続し、他方の電柱２１側で作業者が旧支線２２の他端を引っ張り、一方の電柱２０側で作業者が新支線２４を繰り出すことにより、図１２に示すように、２本の電柱２０、２１間から旧支線２２を取り外すとともに、２本の電柱２０、２１間に新支線２４を架け渡す。
【００４７】
そして、図１３及び図１４に示すように、本線２６を両電柱２０、２１間から取り外すことにより、両電柱２０、２１巻に新支線２４を架設することができる。
【００４８】
上記のように構成した本実施の形態の牽引装置１にあっては、電柱２０、２１間に架設されている支線２２を張り替える場合に、２本の電柱２０，２１間に架け渡した本線２６の複数のリング２７によって旧支線２２及び新支線２４を支持することができるので、旧支線２２及び新支線２４に弛みが生じて、２本の電柱２０、２１間の建造物等に接触するようなことはない。
【００４９】
また、旧支線２２に弛みが生じるのを防止するために張力を付加する必要がないので、旧支線２２に錆びが生じていても、旧支線２２が断線して作業者を傷付けたり、電柱２０、２１間の建造物等を損傷させたりするようなことはなく、支線２２、２４の張り替え作業を安全に行うことができる。
【００５０】
さらに、旧支線２２に絶縁用の玉碍子２３が設けられていても、玉碍子２３によって牽引装置１の移動が阻害されるようなことはなく、玉碍子２３を乗り越えて牽引装置１を一方の電柱２０側から他方の電柱２１側に到達させることができるので、玉碍子２３の存在に影響されることなく、２本の電柱２０、２１間に呼び線２５を架け渡す作業、呼び線２５を利用して本線２６を架け渡す作業、本線２６を利用して支線２２、２４を張り替える作業を安全に、かつ確実に行うことができる。
【００５１】
なお、前記の説明においては、本発明による呼び線の牽引措置１を２本の電柱２０、２１間に架設させた支線２２、２４の張り替えに適用したが、接続スリーブ等によって接続されている電線の張り替え作業や、一部に障害物が設けられている地線の張り替え作業等に本発明を適用してもよいものであり、その場合にも同様の作用効果を奏する。
【符号の説明】
【００５２】
１  牽引装置
２  本体
３  半筒部
４  半円錐部
５  低摩擦部材
６  駆動源支持部
７  脚部
８  縦脚
９  横脚
１０  ねじ
１１  取付部
１２  横枠
１３  縦枠
１４  突出部
１５  接続部
１６  駆動源
１７  モータ
１８  プロペラ
１９  電源
２０  電柱
２１  電柱
２２  架空線（旧支線）
２３  障害物（玉碍子）
２４  新支線
２５  呼び線
２６  本線
２７  リング
２８  本体
２９  吊環
【図１】
0005777976.tif 000002
【図２】
0005777976.tif 000003
【図３】
0005777976.tif 000004
【図４】
0005777976.tif 000005
【図５】
0005777976.tif 000006
【図６】
0005777976.tif 000007
【図７】
0005777976.tif 000008
【図８】
0005777976.tif 000009
【図９】
0005777976.tif 000010
【図１０】
0005777976.tif 000011
【図１１】
0005777976.tif 000012
【図１２】
0005777976.tif 000013
【図１３】
0005777976.tif 000014
【図１４】
0005777976.tif 000015
【図１５】
0005777976.tif 000016